(57)【要約】【課題】本発明は、ブーツを含む靴の整理が行い易く、一対物として常時揃えておくことができるとともに、ブーツ等の型崩れのし易い部分を備えたものにあってはその保形性も備え、しかも、消臭効果、除菌効果、除湿効果等の単数及び複数を同時に発揮でき、その使用操作が極めて簡単であり、その構造も極めて簡単な靴用クリップを提案する。【解決手段】上端部を連結した一対の基板１０を備え、各基板の先端部よりそれぞれ外方へ連結板１１を介して折り返し、各基板と所定間隔をあけて延設した一対の補助板１２を備え、各基板と補助板１２との間に、外気との接触で作用する薬剤を充填した窓４３付きの薬剤容器Ｂを、それぞれ着脱可能に係止させ、左右に並列した靴Ｃの各開口５０より各基板をそれぞれ挿入して、靴Ｃの右足及び左足の隣接する一対の内側壁部を各基板で挟持するとともに、右足内及び左足内にそれぞれ薬剤容器Ｂを位置させて装着させる。【選択図】図１
2012245286.tif 000002
【特許請求の範囲】
【請求項１】
上端部を連結した一対の基板（１０）を備え、各基板（１０）の先端部よりそれぞれ外方へ連結板（１１）を介して折り返し、各基板（１０）と所定間隔をあけて延設した一対の補助板（１２）を備え、各基板（１０）と補助板（１２）との間に、外気との接触で作用する薬剤を充填した窓（４３）付きの薬剤容器（Ｂ）を、それぞれ着脱可能に係止させ、左右に並列した靴Ｃの各開口（５０）より各基板（１０）をそれぞれ挿入して、靴Ｃの右足及び左足の隣接する一対の内側壁部を各基板（１０）で挟持するとともに、右足内及び左足内にそれぞれ薬剤容器（Ｂ）を位置させて装着させることを特徴とする靴用クリップ。
【請求項２】
基板（１０）と補助板（１２）とのそれぞれ対向面に、中央部を縦断する係止突条（２０）を突設し、周囲に凹溝（４４）を周設した薬剤容器（Ｂ）を、基板（１０）と補助板（１２）の各係止突条（２０）に凹溝（４４）の両側を嵌合摺動させて装着係止した請求項１記載の靴用クリップ。
【請求項３】
各基板（１０）と各補助板（１２）の各係止突条（２０）が、円弧状の湾曲凸部（２１）と円弧状の湾曲凹部（２２）を交互に配列するとともに、各湾曲凸部（２１）と各湾曲凹部（２２）とが対向する如く配置された形態をなし、薬剤容器（Ｂ）は円筒状で、対向する各湾曲凹部（２２）に両側が密嵌する凹溝（４４）を周設し、端面に窓（４３）を穿設してなり、基板（１０）と補助板（１２）との間に単数又は複数の薬剤容器（Ｂ）の嵌合が可能に構成した請求項１又は請求項２のいずれかに記載の靴用クリップ。
【請求項４】
基板（１０）と補助板（１２）との間に嵌合される薬剤容器（Ｂ）が、除湿剤を収容した第１薬剤容器（Ｂ１）、除菌剤を収容した第２薬剤容器（Ｂ２）、消臭剤を収容した第３薬剤容器（Ｂ３）のうちの単数又は複数である請求項１乃至請求項３のいずれか１項に記載の靴用クリップ。
【請求項５】
装着する靴（Ｃ）がブーツ（Ｃ１）であり、各基板（１０）及び各補助板（１２）はブーツ（Ｃ１）の縦長部分に挿入する全体として側面視垂直状に形成されている請求項１乃至請求項４のいずれか１項に記載の靴用クリップ。
【請求項６】
装着する靴（Ｃ）が短靴（Ｃ２）であり、各基板（１０）は、垂直部（１５）と水平部（１６）とからなり、各補助板（１２）は基板（１０）の水平部（１６）と平行に形成され、全体として側面視横Ｌ字状に形成されている請求項１乃至請求項４のいずれか１項に記載の靴用クリップ。
【発明の詳細な説明】
【技術分野】
【０００１】
本発明は靴用クリップに関する。
【背景技術】
【０００２】
靴の保管時等に、左右を揃えて整理し易い様な目的で、或いはブーツの様に形状維持が比較的難しい場合に形状維持をも兼ねての靴用クリップが提案されている。（例えば、特許文献１を参照）
【０００３】
上記特許文献１に記載されたクリップは、出掛け先にてブーツを脱いだ際、だらりと広がり見た目にもよくない等の不都合を解消するために提案され、二股に分かれた本体足部のそれぞれの内側に、自在に長さ調節のできる伸縮棒を取り付け、足部の上部中央に持ち手を設け、足部で左右のブーツをの内側壁相互を挟み、伸縮棒を相応に延ばして安定させる如く構成している。
【０００４】
また、ブーツの保形性を得るため、加えてブーツ内の脱臭効果を図るためのブーツスタンドも提案されている。（例えば、特許文献２を参照）
【０００５】
特許文献２に記載されたブーツスタンドは、板状部材の上下に亘って形成されるとともに、板状部材の幅方向に列状に配設された複数の折曲部を介して板状部材を多角筒形状に折り曲げてブーツの筒脚部内に挿入される本体部と、板状部材に形成され本体部の多角筒形状を保持する本体保持部と、板状部材の下端部に形成され、本体部をブーツの筒脚部内に挿入した際にブーツのつま先方向に開口する通気用切欠部とを備えている。また、袋状の脱臭剤或いは芳香剤を内部底部に一緒に挿入している。
【先行技術文献】
【特許文献】
【０００６】
【特許文献１】特開２０１０−２５３２２８号公報
【特許文献２】実用新案登録第３１５５５５６号公報
【発明の概要】
【発明が解決しようとする課題】
【０００７】
本発明は、ブーツを含む靴の整理が行い易く、一対物として常時揃えておくことができるとともに、ブーツ等の型崩れのし易い部分を備えたものにあってはその保形性も備え、しかも、消臭効果、除菌効果、除湿効果等の単数及び複数を同時に発揮でき、また、その使用操作が極めて簡単であり、その構造も極めて簡単な靴用クリップを提案する。
【課題を解決するための手段】
【０００８】
第１の手段として、以下の通り構成した。即ち、上端部を連結した一対の基板１０を備え、各基板１０の先端部よりそれぞれ外方へ連結板１１を介して折り返し、各基板１０と所定間隔をあけて延設した一対の補助板１２を備え、各基板１０と補助板１２との間に、外気との接触で作用する薬剤を充填した窓４３付きの薬剤容器Ｂを、それぞれ着脱可能に係止させ、左右に並列した靴Ｃの各開口５０より各基板１０をそれぞれ挿入して、靴Ｃの右足及び左足の隣接する一対の内側壁部を各基板１０で挟持するとともに、右足内及び左足内にそれぞれ薬剤容器Ｂを位置させて装着させる。
【０００９】
第２の手段として、以下の通り構成した。即ち、前記第１の手段に於いて、基板１０と補助板１２とのそれぞれ対向面に、中央部を縦断する係止突条２０を突設し、周囲に凹溝４４を周設した薬剤容器Ｂを、基板１０と補助板１２の各係止突条２０に凹溝４４の両側を嵌合摺動させて装着係止した。
【００１０】
第３の手段として、以下の通り構成した。即ち、前記第１の手段又は第２の手段に於いて、各基板１０と各補助板１２の各係止突条２０が、円弧状の湾曲凸部２１と円弧状の湾曲凹部２２を交互に配列するとともに、各湾曲凸部２１と各湾曲凹部２２とが対向する如く配置された形態をなし、薬剤容器Ｂは円筒状で、対向する各湾曲凹部２２に両側が密嵌する凹溝４４を周設し、端面に窓４３を穿設してなり、基板１０と補助板１２との間に単数又は複数の薬剤容器Ｂの嵌合が可能に構成した。
【００１１】
第４の手段として、以下の通り構成した。即ち、前記第１の手段乃至第３の手段のいずれかの手段に於いて、基板１０と補助板１２との間に嵌合される薬剤容器Ｂが、除湿剤を収容した第１薬剤容器Ｂ１、除菌剤を収容した第２薬剤容器Ｂ２、消臭剤を収容した第３薬剤容器Ｂ３のうちの単数又は複数である。
【００１２】
第５の手段として、以下の通り構成した。即ち、前記第１の手段乃至第４の手段のいずれかの手段に於いて、装着する靴ＣがブーツＣ１であり、各基板１０及び各補助板１２はブーツＣ１の縦長部分に挿入する全体として側面視垂直状に形成されている。
【００１３】
第６の手段として、以下の通り構成した。即ち、前記第１の手段乃至第４の手段に於いて、装着する靴Ｃが短靴Ｃ２であり、各基板１０は、垂直部１５と水平部１６とからなり、各補助板１２は基板１０の水平部１６と平行に形成され、全体として側面視横Ｌ字状に形成されている。
【発明の効果】
【００１４】
本発明によれば、靴の整理が行い易く、一対物として常時揃えておくことができるとともに、消臭効果、除菌効果、除湿効果等の薬剤効果を同時に発揮でき、また、その使用操作が極めて簡単であり、その構造も極めて簡単であるという特徴を備える。
【００１５】
基板１０と補助板１２とのそれぞれ対向面に、中央部を縦断する係止突条２０を突設し、周囲に凹溝４４を周設した薬剤容器Ｂを、基板１０と補助板１２の各係止突条２０に凹溝４４の両側を嵌合摺動させて装着係止した場合には、各薬剤容器Ｂの装着、離脱を極めて簡単に行うことができ、一方、一旦装着した薬剤容器Ｂは凹溝４４と各係止突条２０との係合で外れる等の不都合がない。
【００１６】
各基板１０と各補助板１２の各係止突条２０が、円弧状の湾曲凸部２１と円弧状の湾曲凹部２２を交互に配列するとともに、各湾曲凸部２１と各湾曲凹部２２とが対向する如く配置された形態をなし、薬剤容器Ｂは円筒状で、対向する各湾曲凹部２２に両側が密嵌する凹溝４４を周設し、端面に窓４３を穿設してなり、基板１０と補助板１２との間に単数又は複数の薬剤容器Ｂの嵌合が可能に構成した場合には、前記と同様各薬剤容器Ｂの装着、離脱を極めて簡単に行うことができるとともに、装着した薬剤容器Ｂが外れる等の不都合がなく、しかも複数種類の作用を同時に発揮することができ、また、必要に応じて、作用の異なる単一の薬剤容器Ｂを装着することも可能であり、左右に異なる薬剤容器Ｂを装着することも可能であり、変化に富んだ対応が可能である。
【００１７】
基板１０と補助板１２との間に嵌合される薬剤容器Ｂが、除湿剤を収容した第１薬剤容器Ｂ１、除菌剤を収容した第２薬剤容器Ｂ２、消臭剤を収容した第３薬剤容器Ｂ３のうちの単数又は複数である場合には、除湿効果、除菌効果、消臭効果を一遍に発揮することができ、また、必要に応じて、必要な一つの薬効を選択することもできる利点がある。
【００１８】
装着する靴ＣがブーツＣ１であり、各基板１０及び各補助板１２はブーツＣ１の縦長部分に挿入する全体として側面視垂直状に形成されている場合には、同様に靴の整理が行い易く、一対物として常時揃えておくことができるとともに、消臭効果、除菌効果、除湿効果等の薬剤効果を同時に発揮でき、しかも型崩れのし易い部分を変形なく維持しておく保形効果を備えている。
【００１９】
装着する靴Ｃが短靴Ｃ２であり、各基板１０は、垂直部１５と水平部１６とからなり、各補助板１２は基板１０の水平部１６と平行に形成され、全体として側面視横Ｌ字状に形成されている場合には、同様に靴の整理が行い易く、一対物として常時揃えておくことができるとともに、消臭効果、除菌効果、除湿効果等の薬剤効果を同時に発揮でき、しかもその形状から着脱が極めて容易である。
【図面の簡単な説明】
【００２０】
【図１】靴用クリップの正面図である。（実施例１）
【図２】靴用クリップの側面図である。（実施例１）
【図３】薬剤容器の拡大側面図である。（実施例１）
【図４】図１のｘ−ｘ線に沿う拡大横断面図である。（実施例１）
【図５】靴用クリップの使用を説明する説明図である。（実施例１）
【図６】靴用クリップの使用を説明する説明図である。（実施例２）
【発明を実施するための形態】
【００２１】
以下、本発明の形態を図面を参照して説明する。
【００２２】
図１は靴用クリップ１の実施例１を示し、該靴用クリップ１は、クリップ本体Ａと、クリップ本体Ａに着脱可能に装着する複数の薬剤容器Ｂとを備えている。
【００２３】
クリップ本体Ａは合成樹脂製で、上端部を連結した一対の基板１０と、各基板１０とそれぞれ連結板１１を介して連結した一対の補助板１２とを備えている。
【００２４】
図示例では、クリップ本体Ａは上端部を上方に凸の円弧板状をなす正面視形状の頂板１３で連結した一対の平行する左基板１０ａ及び右基板１０ｂを備えている。また、左基板１０ａの先端部より外方へ、下方へ凸の円弧板状をなす正面視形状の左連結板１１ａを介して折り返し、左基板１０ａと所定間隔をあけて平行に延設した左補助板１２ａを備えており、同様に、右基板１０ｂの先端部より外方へ、下方へ凸の円弧板状をなす正面視形状の右連結板１１ｂを介して折り返し、右基板１０ｂと所定間隔をあけて平行に延設した右補助板１２ｂを備えている。各補助板１２の先端部は、薬剤容器Ｂの嵌合を容易ならしめるために、それぞれ外方へ湾曲させている。各基板１０の上部の頂板１３と間隔をあけた下方に、上方に凸の円弧板状をなす正面視形状の横桟１４を掛け渡している。尚、クリップ本体Ａは前後左右対称であるが、便宜的に左右の名称を付している。また、その名称に準じれば図１は正面図であるため向かって右側が使用時に左側となる。
【００２５】
各基板１０及び各補助板１２には、薬剤容器Ｂを係止するための係止手段を構成する係止突条２０を突設している。係止突条２０は、左基板１０ａに突設した左内側突条２０ａ、左補助板１２ａに突設した左外側突条２０ｂ、右基板１０ｂに突設した右内側突条２０ｃ、右補助板１２ｂに突設した右外側突条２０ｄを備えており、それぞれ対向位置に三つの湾曲凹部２２と、三つの湾曲凸部２１とを備えている。最下方の湾曲凹部２２は連結板１１の湾曲面の一部とで構成している。また、対向する各湾曲凹部２２は、薬剤容器Ｂの凹溝４４の両側部分がピッタリ嵌合する曲率半径、離間距離を備えている。
【００２６】
薬剤容器Ｂも合成樹脂製で、除湿剤用の第１薬剤容器Ｂ１と、除菌剤用の第２薬剤容器Ｂ２と、消臭剤用の第３薬剤容器Ｂ３とを備えている。各容器はそれぞれ同様形態をなしているので、ここでは代表して第１薬剤容器Ｂ１を説明する。第１薬剤容器Ｂ１は、図３の側面図及び図４のｘ−ｘ線（図１）に沿う拡大横断面図で示す如く、容器本体３０と蓋体４０とからなり、容器本体３０は、底壁３１の周縁部より円筒状の周壁３２を立設した上端開口の有底円筒状で、周壁３２外周に上向き段部を介してその上方外面を縮径している。また、蓋体４０は、容器本体周壁３２に嵌合した円筒状の周壁部４１の上端縁より頂壁部４２を延設した下端開口の有頂円筒状で、周壁部４１下端は上向き段部と所定幅離間した位置まで垂下しており、従って、ここに係止手段を構成する凹溝４４が周設される。
【００２７】
そして、容器本体３０内には薬剤ｍとしての除湿剤が充填されている。また、頂壁部４２には充填された除湿剤と外気とを接触させるための窓４３を複数穿設している。本例に於ける窓４３は、中央の円形窓４３ａと、円形窓４３ａの周囲に放射状に穿設した複数の放射状窓４３ｂとで構成している。
【００２８】
薬剤容器Ｂをクリップ本体Ａに装着する場合には、薬剤容器Ｂの凹溝４４を、例えば、右内側突条２０ｃと右外側突条２０ｄに係合させて押し込むことで、最下降位置への嵌合が行える、その際、基板１０及び補助板１２は弾性的に広がって湾曲凸部２１を乗り越えることができ、また、湾曲凹部２２間に嵌合された際には基板１０及び補助板１２の広がりがなく安定的な嵌合を行える。同じ要領で順次三種類の薬剤容器Ｂの嵌合を行え、同様に左側にも三種類の薬剤容器Ｂの嵌合が行える。
【００２９】
尚、図１では説明の都合上右側に三つの薬剤容器Ｂを嵌合させた図となっているが、当然左側にも三つの薬剤容器Ｂを嵌合させる。但し、使用方法としては、必ずしも三つずつ嵌合させる場合に限らず、必要に応じて、一つずつでも、二つずつでも、或いは左右個数が相違しても良く、また、その薬剤容器Ｂの内容も相違するものを左右に使用しても良く、適宜選択が可能である。
【００３０】
この様に構成された靴用クリップ１を靴Ｃに装着した状態を説明する。図５に於いて靴ＣはブーツＣ１であり、上記実施例１の靴用クリップ１はブーツ用のもので、並列した左右一対のブーツ左足Ｃ１ａ及びブーツ右足Ｃ１ｂの各開口５０より左基板１０ａ及び右基板１０ｂをそれぞれ挿入し、ブーツ左足Ｃ１ａ及びブーツ右足Ｃ１ｂの隣接する一対の内側壁部を左基板１０ａ及び右基板１０ｂで挟持する。この際、左右にそれぞれ挟持された第１薬剤容器Ｂ１、第２薬剤容器Ｂ２、第３薬剤容器Ｂ３は、それぞれ垂直並列状態でブーツ左足Ｃ１ａ及びブーツ右足Ｃ１ｂ内に収納されている。
【００３１】
図６は実施例２を示し、装着する靴Ｃが短靴Ｃ２である場合に使用する靴用クリップ１を示す。本例では、左基板１０ａ及び右基板１０ｂが、上端を連結した垂直部１５と、垂直部１５の下端より前方へ延設した水平部１６とから構成されている。各左基板１０ａ及び右基板１０ｂの垂直部及び水平部１６の全体の長さは、対象となる靴Ｃが短靴Ｃ２であるため、ブーツ用の場合と比較して短く構成されており、短靴Ｃ２のサイズに併せて調整されている。使用方法は図１の例の場合と同様に短靴左足Ｃ２ａと短靴右足Ｃ２ｂの各開口５０より、各基板１０を挿入して装着する。その他の構成は、各基板１０が屈曲していることと、靴Ｃの形態にあわせて基板１０等の長さを調整していること、薬剤容器Ｂとして、第１薬剤容器Ｂ１及び第２薬剤容器Ｂ２の各２種類を使用している例であること以外は図１の例と同様である。従って、同符号を付して説明を省略する。
【符号の説明】
【００３２】
１：靴用クリップ
Ａ：クリップ本体
１０…基板、１０ａ…左基板、１０ｂ…右基板、１１…連結板、１１ａ…左連結板、
１１ｂ…右連結板、１２…補助板、１２ａ…左補助板、１２ｂ…右補助板、１３…頂板、１４…横桟、１５…垂直部、１６…水平部、２０…係止突条、２０ａ…左内側突条、
２０ｂ…左外側突条、２０ｃ…右内側突条、２０ｄ…右外側突条、２１…湾曲凸部、
２２…湾曲凹部
Ｂ：薬剤容器
Ｂ１：第１薬剤容器
Ｂ２：第２薬剤容器
Ｂ３：第３薬剤容器
３０…容器本体、３１…底壁、３２…周壁
４０…蓋体、４１…周壁部、４２…頂壁部、４３…窓、４３ａ…円形窓、
４３ｂ…放射状窓、４４…凹溝
ｍ：薬剤
Ｃ：靴
Ｃ１：ブーツ
Ｃ１ａ…ブーツ左足、Ｃ１ｂ…ブーツ右足、５０…開口
Ｃ２：短靴
Ｃ２ａ…短靴左足、Ｃ２ｂ…短靴右足
【図１】
2012245286.tif 000003
【図２】
2012245286.tif 000004
【図３】
2012245286.tif 000005
【図４】
2012245286.tif 000006
【図５】
2012245286.tif 000007
【図６】
2012245286.tif 000008